(57)【要約】  歯科補綴物のための上部構造（５）を製作するプロセスであって、本プロセスは、予め形成された接合部（６）を先に生成し、その後、材料（１１）の層形成によって接合部（６）上に前記上部構造（５）の解剖学的部分（２）を構築する。公知の製作方法に対して、本発明のプロセスは、幾何形状がインプラントとの有効な結合に必要な最大の精度を有する接合部を備えた、層形成段階の間に直接的に得られる、最終上部構造を可能にするという利点をもたらす。【選択図】      図２
2016540609.tif 000002
【特許請求の範囲】
【請求項１】
層形成法で得られる歯科補綴物用の解剖学的部分（２）を備えかつインプラント（４）の対応する側面（９、１０）に結合する側面（７、８）を備えた接合部（６）を有する上部構造を製作するプロセスであって、前記側面（７、８）の加工時に前記上部構造（５）から完全に隔てられて分離したピースから予め形成された前記接合部（６）の事前準備と、後続の、前記接合部（６）上への材料（１１）の層形成すなわち製作による、前記上部構造（５）の前記解剖学的部分（２）の構築とを含む、プロセス。
【請求項２】
プレート（１２）で支持された前記接合部（６）上に前記材料（１１）の層を堆積及び固化することを含む、請求項１に記載のプロセス。
【請求項３】
前記固化は、前記上部構造（５）の前記解剖学的部分（２）の解剖学的構造に従って、前記材料（１１）の層の固化装置（１３）を用いて達成される、請求項２に記載のプロセス。
【請求項４】
請求項１から３に記載の１又は２以上のプロセスを用いて製作される歯科補綴物のための上部構造。
【請求項５】
前記上部構造（５）の前記解剖学的部分（２）に対応する層状部分と、前記上部構造（５）の前記接合部（６）に対応する部分とを備える、請求項４に記載の上部構造。
【請求項６】
請求項１から５のいずれかに記載の上部構造を備える歯科補綴物。
【発明の詳細な説明】
【技術分野】
【０００１】
本発明は、補綴物のための改善された上部構造を製作するための成形接合部上の層形成プロセスに関する。また、本発明は、このプロセスを用いて製作した歯科補綴物のための上部構造に関する。
【背景技術】
【０００２】
本発明の属する技術分野は、歯科補綴物であり、上部構造は、層形成プロセスを用いて得ることができ、それぞれの結合面上で得られる結合部と相関するインプラントに固定される。詳細には、前述の結合部は、インプラントに対向する上部構造の一部分に位置する成形接合部を構成する。この接合部は、これを受け入れるインプラントの一部に位置する対応する接合部の形状及び寸法を可能な限り正確に複製する必要がある。そうでない場合、つまり不正確な場合、実際には上部構造とインプラントとの間に隙間が形成されることになり、間隙が生じて有害細菌の進入につながる。
【０００３】
現在のところ、検討中の形式の上部構造の接合部は、最初に層形成プロセスを用いて上部構造を作成して、その後、インプラントに対して結合する接合部を上部構造に直接準備することが想定されており、このようにして製作される。予め形成された上部構造への接合部の準備段階は、追加の作業に相当し、接合部のより正確な形成の点において、この工程はより時間がかかり複雑になるであろう。この理由から、従来の層形成プロセスを用いて上部構造を製作する方法は、上部構造上に直接所望の形状を有する接合部を形成する必要があるので、インプラントに固定するために必要な精度要求に対して、時間がかかりかつ複雑になる。
【発明の概要】
【発明が解決しようとする課題】
【０００４】
従って、本発明の目的は、インプラントに固定するために必要な精度要求及び正確性の要求に対して、上部構造の接合部を上部構造と同じ製造段階で得ることを可能にする、層状上部構造を製作するプロセスを提供することである。
【課題を解決するための手段】
【０００５】
前記及び他の目的は、それぞれ請求項１、４及び６のプロセス、上部構造、及び補綴物で達成される。本発明の好ましい実施形態は、残りの請求項に記載される。
【０００６】
公知の製作方法に対して、本発明の方法は、幾何形状がインプラントとの有効な結合に必要な最大の精度を有する接合部を備えた、層形成段階の間に直接的に得られる、最終上部構造を可能にするという利点をもたらす。
【０００７】
前記及び他の目的、利点、及び特徴は、非限定的な実施例を例示する、本発明の上部構造の好ましい実施形態の以下の説明及び図面から明白になる。
【図面の簡単な説明】
【０００８】
【図１】従来の層形成法及び後続の接合部の準備で製作された上部構造の断面図を示す。
【図２】本発明のプロセスで製作された上部構造の断面図を示す。
【図３】図２の上部構造の予め形成された接合部の断面図を示す。
【図４】図２の上部構造の予め形成された接合部の底面図を示す。
【図５】図３及び４の予め形成された接合部上に図２の上部構造の初期層形成プロセスの詳細を示す断面図を示す。
【発明を実施するための形態】
【０００９】
図１において、公知の上部構造が全体として１で示されている。上部構造１は、層形成プロセスで得られた解剖学的部分２と、上部構造１をインプラント４に結合する側にある接合部３とから構成される。詳細には、上部構造１の解剖学的部分２を得るために使用される層形成プロセスは、材料を層状に付加し（粉体、例えば、コバルト−クロム合金、又は液体状態のプラスチック材料、又は他の適切な材料）、次に、最終上部構造の３次元の解剖学的デザインに従って固める（例えば、熱処理、接着等で）ことで達成される。
【００１０】
一方で、上部構造１の接合部３は、先に得られた上部構造１の層状解剖学的部分２から材料を取り去ることで（例えば、フライス加工で）で準備する。しかしながら、接合部３の準備は、制限によって、及び同様のその都度相違する上部構造の解剖学的部分２の規則性のない形状によって妨げられ、結果としてインプラント４との良好な結合のための必要条件に達することが必要であり、特殊な機器及び手動介入を必要とするので、幾何学的な正確性及び再現性を保証することは困難になり費用がかかる。
【００１１】
これらの問題点を解消するために、本発明のプロセスでは、新規な上部構造５が製作されており、その解剖学的部分２は、予め形成された接合部６上に層形成によって構築される（図２）。前述の解剖学的部分２及び接合部６を形成する材料は、同じとすること、又は相互に適合性がある場合は互いに異なることができる。
【００１２】
接合部６は、例えば、コバルト−クロム合金又は他の適切な材料のピースを旋削によって製作することができる。また、接合部６は、層形成プロセスを利用して、後続の一般的な機器で結合側面７及び８を加工することで準備することができる。
【００１３】
本発明の上部構造５の接合部６は、別体で構成され、解剖学的部分２の形成の前に、インプラントの表面９及び１０のそれぞれに結合する表面７及び８を例えば旋削によって製作する。この旋削工程は、この工程を単純化して、安価で一般的な機器及び機械を用いて特に正確かつ精密なものにするために、接合部６が表面７及び８の加工時に上部構造から完全に隔てられて分離したピースから構成されるという事実から特に容易になる。このように接合部６を準備した状態で、上部構造５の解剖学的部分２は、この接合部上に材料１１を層形成することで構築することができ、この材料は、適切な各層の固化装置１３（例えば、重合装置又はレーザー装置）によってプレート１２上の所定の位置に残される。
【００１４】
特許請求の範囲に含まれる変形例を作り出すために前記の発明に対して種々の変更を行うことができる。例えば、図２の断面のインプラントの外部にある接合部３は、インプラント４の内部に組み込むことができる。
【図１】
2016540609.tif 000003
【図２】
2016540609.tif 000004
【図３−４】
2016540609.tif 000005
【図５】
2016540609.tif 000006
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
層形成法で得られる歯科補綴物用の解剖学的部分（２）を備えかつインプラント（４）の対応する側面（９、１０）に結合する側面（７、８）を備えた接合部（６）を有する上部構造を製作するプロセスであって、前記側面（７、８）の加工時に前記上部構造（５）から完全に隔てられて分離したピースから予め形成された前記接合部（６）の事前準備と、後続の、前記接合部（６）上への材料（１１）の層形成すなわち製作による、前記上部構造（５）の前記解剖学的部分（２）の構築とを含み、
前記層形成は、プレート（１２）で支持された前記接合部（６）上に前記材料（１１）の層を堆積及び固化することを含む、プロセス。
【請求項２】
前記固化は、前記上部構造（５）の前記解剖学的部分（２）の解剖学的構造に従って、前記材料（１１）の層の固化装置（１３）を用いて達成される、請求項１に記載のプロセス。
【請求項３】
請求項１または２に記載の１又は２以上のプロセスを用いて製作される歯科補綴物のための上部構造。
【請求項４】
前記上部構造（５）の前記解剖学的部分（２）に対応する層状部分と、前記上部構造（５）の前記接合部（６）に対応する部分とを備える、請求項３に記載の上部構造。
【請求項５】
請求項１から４のいずれかに記載の上部構造を備える歯科補綴物。
【国際調査報告】
2016540609.tif 000007
2016540609.tif 000008
2016540609.tif 000009